(57)【要約】【課題】無線通信装置の受信動作に要する時間を短縮し、無線通信装置の消費電力を低減すること。また、応答性及び操作性を向上させるとともに、応答性及び操作性を犠牲にすることなく通信端末装置の消費電力も低減すること。【解決手段】受信部１２１は、キャリアセンスを行うことにより通信端末装置１５０から送信された識別信号を検出し、検出した識別信号に含まれる通信端末装置１５０を特定する識別情報を抽出する。制御部１２２は、受信部１２１が抽出した通信端末装置１５０を特定する識別情報と、コード記憶部１２３に記憶している識別情報とが一致する場合に、無線通信装置１６０を特定する識別情報の出力をコード記憶部１２３に指示する。送信部１２４は、無線通信装置１６０を特定する識別情報を含む応答信号を送信する。【選択図】図１
2009065260.tif 000002
【特許請求の範囲】
【請求項１】
間欠的にキャリアセンスを行うことにより識別信号の受信を検出する検出手段と、
所定の通信相手を特定する第１識別情報をあらかじめ記憶する記憶手段と、
前記検出手段が検出した前記識別信号に含まれる通信相手を特定する第２識別情報と前記記憶手段に記憶している前記第１識別情報との比較結果に基づいて応答信号の送信を指示する制御手段と、
前記制御手段の指示に従って前記応答信号を送信する送信手段と、
を具備する無線通信装置。
【請求項２】
前記制御手段は、前記第１識別情報により特定される通信相手と前記第２識別情報により特定される通信相手とが一致する前記比較結果が得られた場合に前記応答信号の送信を指示する請求項１記載の無線通信装置。
【請求項３】
所定のタイミングで自局を特定する識別情報を間欠送信する送信手段と、
間欠的にキャリアセンスを行うことにより前記識別情報を受信した通信相手から送信された応答信号の受信を検出する検出手段と、
前記検出手段で検出した前記応答信号に含まれる前記通信相手を特定する識別情報で前記通信相手の認証を行う認証手段と、
を具備する通信端末装置。
【請求項４】
前記通信相手との通信における通信品質を測定する通信品質測定手段と、
測定した前記通信品質が良好なほど前記自局を特定する識別情報の送信間隔を短くするタイミング制御手段と、
を具備する請求項３記載の通信端末装置。
【請求項５】
キー操作を検出するキー操作検出手段と、
前記キー操作を検出した際に前記自局を特定する識別情報の送信を開始させるタイミング制御手段と、
を具備する請求項３記載の通信端末装置。
【請求項６】
折り畳み式の筐体における折り畳み状態から開いた状態への状態変化を検出する開閉検出手段と、
前記状態変化を検出した際に前記自局を特定する識別情報の送信を開始させるタイミング制御手段と、
を具備する請求項３記載の通信端末装置。
【請求項７】
前記検出手段は、前記自局を特定する識別情報の１回の送信に対する複数の前記通信相手から送信された前記応答信号の受信をキャリアセンスにより検出可能である請求項３から請求項６のいずれかに記載の通信端末装置。
【請求項８】
前記認証手段は、前記認証に失敗した際に使用を制限する請求項３から請求項７のいずれかに記載の通信端末装置。
【請求項９】
通信端末装置と、前記通信端末装置の通信圏内で前記通信端末装置と通信する無線通信装置と、を具備する通信システムであって、
前記通信端末装置は、
自局を特定する第１識別情報を含む識別信号を所定のタイミングで間欠送信する第１送信手段と、
間欠的にキャリアセンスを行うことにより前記識別信号を受信した前記無線通信装置から送信された応答信号の受信を検出する第１検出手段と、
前記第１検出手段で検出した前記応答信号に含まれる前記無線通信装置を特定する第２識別情報で前記無線通信装置の認証を行う認証手段と、
を具備し、
前記無線通信装置は、
間欠的にキャリアセンスを行うことにより前記識別信号の受信を検出する検出手段と、
所定の通信端末装置を特定する第３識別情報をあらかじめ記憶する記憶手段と、
前記検出手段が検出した前記識別信号に含まれる前記第１識別情報と前記記憶手段に記憶している前記第３識別情報との比較結果に基づいて前記応答信号の送信を指示する制御手段と、
前記制御手段の指示に従って前記第２識別情報を含む前記応答信号を送信する送信手段と、
を具備する通信システム。
【請求項１０】
通信端末装置が、自局を特定する第１識別情報を含む識別信号を所定のタイミングで間欠送信するステップと、
無線通信装置が、間欠的にキャリアセンスを行うことにより前記識別信号の受信を検出するステップと、
前記無線通信装置が、検出した前記識別信号に含まれる前記第１識別情報と記憶手段にあらかじめ記憶している所定の通信端末装置を特定する第２識別情報との比較結果に基づいて、自局を特定する第３識別情報を含む応答信号を送信するステップと、
前記通信端末装置が、間欠的にキャリアセンスを行うことにより前記応答信号の受信を検出するステップと、
前記通信端末装置が、検出した前記応答信号に含まれる前記第３識別情報で前記無線通信装置の認証を行うステップと、
を具備する認証方法。
【発明の詳細な説明】
【技術分野】
【０００１】
本発明は、無線通信装置、通信端末装置、通信システム及び認証方法に関し、例えば通信端末装置の通信相手であるキーが通信端末装置との通信圏外に存在する際に使用を制限する無線通信装置、通信端末装置、通信システム及び認証方法に関する。
【背景技術】
【０００２】
従来、通信端末装置を紛失した際に、通信端末装置が備える各種機能を悪用されるのを防止するために、セキュリティ機能を設けた通信システムが知られている（例えば、特許文献１）。
【０００３】
図５は、通信端末装置１１と無線通信装置１２とを用いたセキュリティ機能付き通信システム１０を示す図である。図５より、通信端末装置１１は、キーである無線通信装置１２が通信端末装置１１との通信圏内（図５の破線内）に存在する際には、使用を制限しない。一方、通信端末装置１１は、無線通信装置１２が通信端末装置１１との通信圏外（図５の破線外）に存在する際には、使用を制限する。
【０００４】
図６は、図５におけるセキュリティ機能付き通信システム１０において、無線通信装置１２が通信端末装置１１との通信圏外に存在する状態で、通信端末装置１１がサーチを行う際の従来の動作を示す図である。図６より、無線通信装置１２は、時間ｔ２（例えば１ｓｅｃ）が経過する毎に、識別情報を含む信号Ｓ１を送信する。この際に、信号Ｓ１の送信に要する時間はｔ１（例えば８ｍｓｅｃ）である。一方、通信端末装置１１は、時間Ｔ１（例えば１１ｓｅｃ）が経過する毎に、時間ｔ３（例えば１ｓｅｃ）の間において、間欠的に受信処理＃５を行う。そして、通信端末装置１１は、時間ｔ３の間に無線通信装置１２の信号Ｓ１を検出できない場合には、使用を制限する。この使用を制限する状態は、ロック状態と呼ばれる。
【０００５】
また、図７は、図５におけるセキュリティ機能付き通信システム１０において、無線通信装置１２が通信端末装置１１との通信圏内に存在する状態で、通信端末装置１１が無線通信装置１２と通信中である場合の従来の動作を示す図である。図７より、無線通信装置１２は、時間ｔ２が経過する毎に、識別情報を含む信号Ｓ１を送信する。通信端末装置１１は、信号Ｓ１を受信し、信号Ｓ１を受信した応答としてＡＣＫ信号Ｓ１１を送信する。そして、無線通信装置１２は、ＡＣＫ信号Ｓ１１を受信する。通信端末装置１１は、時間ｔ４の間に、上記の一連の動作を行う。通信端末装置１１が無線通信装置１２と通信中である状態は、ロック解除状態と呼ばれる。なお、時間ｔ４は、固定時間である。
【特許文献１】特開２００６−２０００２号公報
【発明の開示】
【発明が解決しようとする課題】
【０００６】
しかしながら、従来においては、通信端末装置１１は、信号Ｓ１の受信を待っている状態であるため、無線通信装置１２は、識別情報を含む信号Ｓ１を生成して送信する必要があり、信号Ｓ１の送信に伴い、無線通信装置１２の電池の消耗が早いという問題がある。また、キー等である無線通信装置１２は、通信端末装置１１と異なり、他人の通信端末装置と通信を行うものではないため、他人の通信端末装置と通信する際に、ユーザによって操作されないとともにユーザの側に存在するとは限らない。従って、従来においては、通信端末装置１１は、早期にロック解除または無線通信装置１２との認証を行いたい場合に、無線通信装置１２から送信される信号Ｓ１の受信を待っている状態であるため、ロック解除または無線通信装置１２との認証に時間を要し、応答性及び操作性が悪いという問題がある。また、従来においては、無線通信装置１２は、ロック解除または通信端末装置１１との認証の緊急性に関わりなく信号Ｓ１を送信するとともに、通信端末装置１１は、それに伴って信号Ｓ１の受信処理を行うので、通信端末装置１１の電池の消耗が早いという問題がある。
【０００７】
本発明はかかる点に鑑みてなされたものであり、無線通信装置は、通信端末装置から送信された信号を検出するまでは識別情報を含む信号を送信しないとともに、通信端末装置から送信された信号をキャリアセンスにより検出するので、無線通信装置の受信動作に要する時間を短縮することができ、無線通信装置の消費電力を低減することができる無線通信装置、通信端末装置、通信システム及び認証方法を提供することを目的とする。また、通信端末装置は、最初に信号の送信を開始することにより送信タイミングを支配することができるので、応答性及び操作性を向上させることができるとともに、応答性及び操作性を犠牲にすることなく通信端末装置の消費電力も低減することができる無線通信装置、通信端末装置、通信システム及び認証方法を提供することを目的とする。
【課題を解決するための手段】
【０００８】
本発明の無線通信装置は、間欠的にキャリアセンスを行うことにより識別信号の受信を検出する検出手段と、所定の通信相手を特定する第１識別情報をあらかじめ記憶する記憶手段と、前記検出手段が検出した前記識別信号に含まれる通信相手を特定する第２識別情報と前記記憶手段に記憶している前記第１識別情報との比較結果に基づいて応答信号の送信を指示する制御手段と、前記制御手段の指示に従って前記応答信号を送信する送信手段と、を具備する構成を採る。
【０００９】
本発明の通信端末装置は、所定のタイミングで自局を特定する識別情報を間欠送信する送信手段と、間欠的にキャリアセンスを行うことにより前記識別情報を受信した通信相手から送信された応答信号の受信を検出する検出手段と、前記検出手段で検出した前記応答信号に含まれる前記通信相手を特定する識別情報で前記通信相手の認証を行う認証手段と、を具備する構成を採る。
【００１０】
本発明の通信システムは、通信端末装置と、前記通信端末装置の通信圏内で前記通信端末装置と通信する無線通信装置と、を具備する通信システムであって、前記通信端末装置は、自局を特定する第１識別情報を含む識別信号を所定のタイミングで間欠送信する第１送信手段と、間欠的にキャリアセンスを行うことにより前記識別信号を受信した前記無線通信装置から送信された応答信号の受信を検出する第１検出手段と、前記第１検出手段で検出した前記応答信号に含まれる前記無線通信装置を特定する第２識別情報で前記無線通信装置の認証を行う認証手段と、を具備し、前記無線通信装置は、間欠的にキャリアセンスを行うことにより前記識別信号の受信を検出する検出手段と、所定の通信端末装置を特定する第３識別情報をあらかじめ記憶する記憶手段と、前記検出手段が検出した前記識別信号に含まれる前記第１識別情報と前記記憶手段に記憶している前記第３識別情報との比較結果に基づいて前記応答信号の送信を指示する制御手段と、前記制御手段の指示に従って前記第２識別情報を含む前記応答信号を送信する送信手段と、を具備する構成を採る。
【００１１】
本発明の認証方法は、通信端末装置が、自局を特定する第１識別情報を含む識別信号を所定のタイミングで間欠送信するステップと、無線通信装置が、間欠的にキャリアセンスを行うことにより前記識別信号の受信を検出するステップと、前記無線通信装置が、検出した前記識別信号に含まれる前記第１識別情報と記憶手段にあらかじめ記憶している所定の通信端末装置を特定する第２識別情報との比較結果に基づいて、自局を特定する第３識別情報を含む応答信号を送信するステップと、前記通信端末装置が、間欠的にキャリアセンスを行うことにより前記応答信号の受信を検出するステップと、前記通信端末装置が、検出した前記応答信号に含まれる前記第３識別情報で前記無線通信装置の認証を行うステップと、を具備するようにした。
【発明の効果】
【００１２】
本発明によれば、無線通信装置は、通信端末装置から送信された信号を検出するまでは識別情報を含む信号を送信しないとともに、通信端末装置から送信された信号をキャリアセンスにより検出するので、無線通信装置の受信動作に要する時間を短縮することができ、無線通信装置の消費電力を低減することができる。また、本発明によれば、通信端末装置は、最初に信号の送信を開始することにより送信タイミングを支配することができるので、応答性及び操作性を向上させることができるとともに、応答性及び操作性を犠牲にすることなく通信端末装置の消費電力も低減することができる。
【発明を実施するための最良の形態】
【００１３】
以下、本発明の実施の形態について、図面を参照して詳細に説明する。
【００１４】
（実施の形態）
図１は、本発明の実施の形態に係る通信システム１００の構成を示す図である。図１より、通信システム１００は、通信端末装置１５０と無線通信装置１６０を含む。通信端末装置１５０は、例えば携帯電話である。また、無線通信装置１６０は、例えば通信端末装置１５０の通信圏外に存在する際に通信端末装置１５０の使用を制限するキーである。
【００１５】
最初に、通信端末装置１５０の構成について、図１を用いて説明する。操作部１７０は、開閉検出部１０１及びキー操作部１０２を含む。また、制御部１８０は、認証状態判定部１１０を含む。
【００１６】
開閉検出部１０１は、通信端末装置１５０が折り畳み可能な筐体を備えている場合に、折り畳み状態から開いた状態への筐体の状態変化を検出して、検出結果をタイミング制御部１０５へ出力する。
【００１７】
キー操作部１０２は、通信を開始するキー操作を検出して、検出結果をタイミング制御部１０５へ出力する。
【００１８】
時計部１０３は、時刻を計測する。
【００１９】
通信品質測定部１０４は、受信部１０９から入力した受信信号を用いて、無線通信装置１６０との通信品質を測定する。例えば、通信品質測定部１０４は、受信部１０９から入力した受信信号より、通信品質を示すＲＳＳＩ（Received Signal Strength Indicator）を測定する。そして、通信品質測定部１０４は、測定結果をタイミング制御部１０５へ出力する。
【００２０】
タイミング制御部１０５は、識別情報記憶部１０６に対して識別情報の出力を指示することにより、認証を開始するタイミングを制御する。具体的には、タイミング制御部１０５は、開閉検出部１０１から折り畳み状態から開いた状態への筐体の状態が変化した検出結果が入力した際、またはキー操作部１０２からキーが操作された検出結果が入力した際に、識別情報記憶部１０６に記憶している無線通信装置１６０の識別情報の出力を指示する。また、タイミング制御部１０５は、時計部１０３で計測している時刻が昼間（例えば、午前６時から午後６時までの時間）である場合には、時計部１０３で計測している時刻が夜間（例えば、午後６時から翌日の午前６時までの時間）である場合に比べて、識別情報記憶部１０６に記憶している識別情報の出力を短い周期で指示する。また、タイミング制御部１０５は、通信品質測定部１０４から入力した通信品質が良好になるほど、識別情報記憶部１０６に記憶している識別情報の出力を短い周期で指示する。
【００２１】
識別情報記憶部１０６は、通信端末装置１５０を特定する識別情報及び無線通信装置１６０を特定する識別情報をあらかじめ記憶している。そして、識別情報記憶部１０６は、タイミング制御部１０５の指示により、記憶している通信端末装置１５０を特定する識別情報を送信部１０７へ出力する。ここで、通信端末装置１５０を特定する識別情報とは、例えば通信端末装置１５０毎に固有のＩＤである。また、無線通信装置１６０を特定する識別情報とは、例えば無線通信装置１６０固有のＩＤである。
【００２２】
送信部１０７は、識別情報記憶部１０６から入力した通信端末装置１５０を特定する識別情報を含む識別信号を生成する。そして、送信部１０７は、生成した識別信号をアンテナ１０８へ出力する。また、送信部１０７は、受信部１０９の指示に従ってＡＣＫ信号を生成してアンテナ１０８へ出力する。
【００２３】
アンテナ１０８は、送信部１０７から入力した識別信号を間欠送信する。また、アンテナ１０８は、送信部１０７から入力したＡＣＫ信号を送信する。また、アンテナ１０８は、無線通信装置１６０から送信された応答信号または同期確立信号を受信し、受信した応答信号または同期確立信号を受信部１０９へ出力する。
【００２４】
検出手段としての受信部１０９は、間欠的にキャリアセンスを行うことにより、アンテナ１０８から入力した受信信号における、無線通信装置１６０から送信された応答信号の有無を検出する。また、受信部１０９は、応答信号を検出した場合に、応答信号に含まれる無線通信装置１６０を特定する識別情報を抽出して、抽出した識別情報を認証状態判定部１１０へ出力する。受信部１０９は、キャリアセンスの間は、受信信号のレベルを監視するだけなので、識別情報の抽出処理を行う場合に比べて、消費電力を抑制することができる。また、受信部１０９は、アンテナ１０８から入力した受信信号を通信品質測定部１０４へ出力する。また、受信部１０９は、アンテナ１０８から同期確立信号が入力した際に、ＡＣＫ信号の送信を送信部１０７に指示する。
【００２５】
認証手段としての認証状態判定部１１０は、受信部１０９から無線通信装置１６０を特定する識別情報が入力した際に、入力した識別情報と識別情報記憶部１０６に記憶している識別情報とが一致するか否かを判定する処理である認証処理を行う。認証状態判定部１１０は、認証に失敗した場合、即ち識別情報が一致しないと判定した場合には、操作部１７０における操作を制限する。一方、認証状態判定部１１０は、認証に成功した場合、即ち識別情報が一致すると判定した場合には、操作部１７０における操作を制限しない。
【００２６】
次に、無線通信装置１６０の構成について、図１を用いて説明する。
【００２７】
アンテナ１２０は、識別信号またはＡＣＫ信号を受信して受信部１２１へ出力する。また、アンテナ１２０は、送信部１２４から入力した応答信号または同期確立信号を送信する。
【００２８】
検出手段としての受信部１２１は、アンテナ１２０から入力した受信信号をキャリアセンスして、通信端末装置１５０から送信された識別信号の有無を検出する。また、受信部１２１は、識別信号を検出した場合に、検出した識別信号から通信端末装置１５０を特定する識別情報を抽出して、抽出した識別情報を制御部１２２へ出力する。受信部１２１は、通信端末装置１５０から送信された識別信号を検出しない場合には、キャリアセンスを繰り返す。受信部１２１は、キャリアセンスの間は、受信信号のレベルを監視するだけであり、識別情報の抽出を行わない。また、受信部１２１は、アンテナ１２０から入力したＡＣＫ信号を制御部１２２へ出力する。
【００２９】
制御部１２２は、受信部１２１から入力した通信端末装置１５０を特定する識別情報と、コード記憶部１２３にあらかじめ記憶している所定の通信端末装置を特定する識別情報との比較結果に基づいて、コード記憶部１２３に対して、無線通信装置１６０の識別情報の出力を指示する。例えば、制御部１２２は、受信部１２１から入力した識別情報により特定される通信端末装置と、コード記憶部１２３に記憶している識別情報により特定される通信端末装置とが一致する場合に、コード記憶部１２３に対して、無線通信装置１６０の識別情報の出力を指示する。また、制御部１２２は、受信部１２１からＡＣＫ信号が入力した場合に、初期認証動作に移行して同期通信を確立する。
【００３０】
記憶手段としてのコード記憶部１２３は、通信端末装置１５０を特定する識別情報及び無線通信装置１６０を特定する識別情報を記憶している。そして、コード記憶部１２３は、制御部１２２の指示に従って、記憶している無線通信装置１６０を特定する識別情報を送信部１２４へ出力する。
【００３１】
送信部１２４は、コード記憶部１２３から入力した無線通信装置１６０を特定する識別情報を含む同期確立信号を生成し、生成した同期確立信号をアンテナ１２０へ出力する。
【００３２】
次に、通信端末装置１５０及び無線通信装置１６０の動作について説明する。
【００３３】
最初に、ロック状態における通信端末装置１５０及び無線通信装置１６０の動作について、図２を用いて説明する。図２は、通信端末装置１５０及び無線通信装置１６０の動作を示す図である。
【００３４】
通信端末装置１５０は、開閉検出部１０１で折り畳み状態から開いた状態への筐体の状態変化を検出した場合、またはキー操作部１０２でキー操作を検出した場合に、識別情報記憶部１０６に記憶している通信端末装置１５０を特定する識別情報を含む信号Ｓ２００を時間ｔ３（ｔ２＜ｔ３）間送信する。このように、通信端末装置１５０は、信号Ｓ２００を送信するタイミングを支配することができる。
【００３５】
そして、通信端末装置１５０は、時間ｔ３間送信した後に、受信部１０９でｔ４時間（例えば１ｓｅｃ）のキャリアセンス＃２０２を行う。また、通信端末装置１５０は、時間ｔ３間の信号Ｓ２００の送信とｔ４時間のキャリアセンス＃２０２を時間Ｔ２（例えば１１ｓｅｃ）の周期で繰り返す。この際に、通信端末装置１５０は、時間ｔ３間の信号Ｓ２００の送信とｔ４時間のキャリアセンス＃２０２を連続して繰り返しても良いし、信号Ｓ２００を送信してからｔ５時間経過後に次の信号Ｓ２００を送信しても良い。
【００３６】
また、無線通信装置１６０は、時間ｔ２（例えば１ｓｅｃ）が経過する毎に、受信部１２１でｔ１’時間（例えば０．３ｍｓｅｃ）のキャリアセンス＃２０１を行う。この際、無線通信装置１６０の受信部１２１は、受信信号のレベルを監視するキャリアセンスを行うだけであるため、無線通信装置１６０の受信処理に要する時間ｔ１’を短縮することができる。
【００３７】
図２の場合、無線通信装置１６０は、通信端末装置１５０の通信圏外に存在するため、キャリアセンス＃２０１で信号Ｓ２００を検出することはない。
【００３８】
次に、ロック状態からロック解除状態に移行する際の通信端末装置１５０及び無線通信装置１６０の動作について、図３を用いて説明する。図３は、通信端末装置１５０及び無線通信装置１６０の動作を示す図である。
【００３９】
最初に、通信端末装置１５０は、信号Ｓ２００を送信する。次に、無線通信装置１６０は、キャリアセンス＃２０１により信号Ｓ２００を検出する。次に、無線通信装置１６０は、検出した信号Ｓ２００に含まれている識別情報とコード記憶部１２３に記憶している識別情報とが一致した際に、時間ｔ２経過後に識別情報を含む同期確立信号Ｓ３０１を送信する。
【００４０】
次に、通信端末装置１５０は、キャリアセンス＃２０２により同期確立信号Ｓ３０１を検出する。次に、通信端末装置１５０は、検出した同期確立信号Ｓ３０１に含まれる無線通信装置１６０を特定する識別情報と識別情報記憶部１０６に記憶している識別情報とが一致した際に、同期確立信号Ｓ３０１に対する応答としてＡＣＫ信号Ｓ３０２を送信する。次に、無線通信装置１６０は、ＡＣＫ信号Ｓ３０２を受信する。これにより、通信端末装置１５０は、初期認証動作に移行することができる。
【００４１】
また、図３では、通信端末装置１５０は、１つの無線通信装置１６０から送信された同期確立信号Ｓ３０１を検出する場合について説明したが、本発明はこれに限らず、信号Ｓ２００を受信した複数の無線通信装置１６０から送信された同期確立信号Ｓ３０１を検出することも可能である。
【００４２】
次に、ロック解除後における通信端末装置１５０及び無線通信装置１６０の動作について、図４を用いて説明する。図４は、通信端末装置１５０及び無線通信装置１６０の動作を示す図である。
【００４３】
最初に、通信端末装置１５０は、識別情報を含む信号Ｓ４０１を送信する。次に、無線通信装置１６０は、キャリアセンス＃４０２により信号Ｓ４０１を検出する。次に、無線通信装置１６０は、検出した信号Ｓ４０１に含まれている識別情報とコード記憶部１２３に記憶している識別情報とが一致した際に、識別情報を含む信号Ｓ４０３を送信する。次印、通信端末装置１５０は、キャリアセンス＃４０４により信号Ｓ４０３を受信する。このように、通信端末装置１５０は、信号Ｓ４０１を送信するタイミングを支配することができる。また、無線通信装置１６０の受信部１２１は、受信信号のレベルを監視するキャリアセンス＃４０２を行うだけであるため、無線通信装置１６０の受信処理に要する時間を短縮することができる。
【００４４】
図４において、無線通信装置１６０は、時間ｔ３の間隔でキャリアセンス＃４０２を行う。また、通信端末装置１５０が信号Ｓ４０１を送信してからキャリアセンス＃４０４により信号Ｓ４０３を検出するまでの一連の動作は、時間ｔ５の周期で行う。
【００４５】
ここで、通信端末装置１５０は、時間ｔ５を可変に設定可能である。例えば、時計部１０３により計測した時刻より、昼間における時間ｔ５を夜間における時間ｔ５よりも短くすることができる。また、通信端末装置１５０は、通信品質測定部１０４で測定した通信品質が良好になるほど無線通信装置１６０が接近しているものと判断して、通信品質が良好になるほど時間ｔ５を短くすることができる。
【００４６】
また、図４では、通信端末装置１５０は、１つの無線通信装置１６０から送信された信号Ｓ４０３を検出する場合について説明したが、本発明はこれに限らず、信号Ｓ４０１を受信した複数の無線通信装置１６０から送信された信号Ｓ４０３を検出することも可能である。
【００４７】
このように、本実施の形態によれば、無線通信装置は、通信端末装置から送信された信号を検出するまでは識別情報を含む信号を送信しないとともに、通信端末装置から送信された信号をキャリアセンスにより検出するので、無線通信装置の受信動作に要する時間を短縮することができ、無線通信装置の消費電力を低減することができる。また、本実施の形態によれば、通信端末装置は、最初に信号の送信を開始することにより送信タイミングを支配することができるので、応答性及び操作性を向上させることができるとともに、応答性及び操作性を犠牲にすることなく通信端末装置の消費電力も低減することができる。
【００４８】
なお、上記実施の形態において、通信端末装置１５０は、折り畳み状態から開いた状態への筐体の状態変化を検出した場合、またはキー操作を検出した場合に識別信号を送信したが、本発明はこれに限らず、通信端末装置１５０は、所定の時刻に識別信号を送信する等の必要に応じて任意のタイミングで識別信号を送信することができる。
【産業上の利用可能性】
【００４９】
本発明の無線通信装置、通信端末装置、通信システム及び認証方法は、例えば通信端末装置の通信相手であるキーが通信端末装置との通信圏外に存在する際に使用を制限するのに好適である。
【図面の簡単な説明】
【００５０】
【図１】本発明の実施の形態に係る通信システムの構成を示すブロック図
【図２】本発明の実施の形態に係る通信端末装置と無線通信装置の動作を示す図
【図３】本発明の実施の形態に係る通信端末装置と無線通信装置の動作を示す図
【図４】本発明の実施の形態に係る通信端末装置と無線通信装置の動作を示す図
【図５】セキュリティ機能付き通信システムを示す図
【図６】従来の通信端末装置と無線通信装置の動作を示す図
【図７】従来の通信端末装置と無線通信装置の動作を示す図
【符号の説明】
【００５１】
１００  通信システム
１０１  開閉検出部
１０２  キー操作部
１０３  時計部
１０４  通信品質測定部
１０５  タイミング制御部
１０６  識別情報記憶部
１０７、１２４  送信部
１０８、１２０  アンテナ
１０９、１２１  受信部
１１０  認証状態判定部
１２２  制御部
１２３  コード記憶部
１５０  通信端末装置
１６０  無線通信装置
【図１】
2009065260.tif 000003
【図２】
2009065260.tif 000004
【図３】
2009065260.tif 000005
【図４】
2009065260.tif 000006
【図５】
2009065260.tif 000007
【図６】
2009065260.tif 000008
【図７】
2009065260.tif 000009